(57)【要約】【課題】本発明の課題は、換気口カバーの差込筒に装着する止水パッキンを、差込筒に取付凹部が無くても装着可能できるようにすること、また換気口カバーの差込筒をダクトに対して挿抜しても止水パッキンの装着位置がずれないようにすることにある。【解決手段】止水パッキン１０には、差込筒１２の筒端側内周面１２ｂを被覆する内環部１６と、筒端側外周面１２ａを被覆し、止水リブ２１を突設した外環部１５と、内環部１６と外環部１５との間に差込筒１２の装着凹部３０が形成されている。このため従来のように差込筒１２の外周面に止水パッキン取付用の取付凹部が無くても、装着凹部３０に差込筒１２の筒端を差込ませれば装着でき、差込筒１２をダクト６に内挿しても装着位置はずれない。また、差込筒１２をダクト６から抜去しても、折返し部１２ｃが係止凹部２４と係合するため装着位置がずれない。【選択図】　　図４
2004044955.tif 000002
【特許請求の範囲】
【請求項１】
建築物の換気口からダクトに内挿させる差込筒に装着する換気口カバー用の止水パッキンにおいて、
差込筒の筒端側内周面を被覆する内環部と、差込筒の筒端側外周面を被覆すると共にダクトの内周面に対して弾性接触する環状の止水リブを突設した外環部と、これら内環部と外環部との間に差込筒の筒端側を差し込ませて装着可能な装着凹部と、を形成したことを特徴とする換気口カバー用の止水パッキン。
【請求項２】
装着凹部に、該筒端に形成した差込筒の曲折端部に対して、換気口カバーの差込筒をダクトから抜去させる抜去方向で引っ掛かる係止受け部を設けた請求項１記載の換気口カバー用の止水パッキン。
【請求項３】
曲折端部が内向きの湾曲部としてまたは内向きに折返した折返し部として形成されており、内環部の係止受け部として、該湾曲部と抜去方向で係止する当接面かまたは該折返し部と抜去方向で係止する当接面の少なくとも何れかを設けた請求項１または請求項２記載の換気口カバー用の止水パッキン。
【請求項４】
外環部をゴム弾性を有する樹脂材にて形成し、内環部を外環部よりも高硬度の樹脂材にて形成してある請求項１〜請求項３何れか１項記載の換気口カバー用の止水パッキン。
【請求項５】
外環部と内環部とが二色成型体または二重成型体として一体形成してある請求項４記載の換気口カバー用の止水パッキン
【請求項６】
建築物の換気口からダクトに内挿させる差込筒の筒端に、請求項１〜請求項５何れか１項記載の止水パッキンを装着した換気口カバー。
【発明の詳細な説明】
【０００１】
【発明の属する技術分野】
この発明は、例えば通気用のダクト内に発生する結露水などの水分の流通を止めるために換気口カバーに装着する止水パッキンと、止水パッキンを備える換気口カバーに関する。
【０００２】
【従来の技術】
建物内に配管された通気用のダクト内に結露水などの水分が存在すると、例えば寒冷地や冬季においては、ダクトとダクトに内挿させる換気口カバーの差込筒との間に流れ込んだ結露水が凍結膨張することで、換気口カバーを建築物の外壁化粧材から浮かせてしまったり、また建築物の躯体と外壁化粧材との隙間に流れ込んだ結露水が凍結膨張することで、外壁化粧材を破損してしまう、といった不具合を生じる例が後を絶たない。
【０００３】
そこでこうした不具合の元となる水分の流通、すなわち換気口カバーから換気口側への水分の流れ込みを阻止するために、換気口カバーの差込筒の外周面にゴム弾性を有する軟質塩化ビニルなどの樹脂材からなる止水パッキンを装着するようにしている。
【０００４】
このような止水パッキンを装着した換気口カバーの施工状態の一従来例を図６と図７に示す。換気口カバー１は、丸形のフード部２と円筒形状の差込筒３を備えており、このうち差込筒３は、図示のように、建物の躯体４の換気口５に連通するダクト６に内挿されている。符号７は外壁化粧材で躯体４の仕上げ面を構成する。そして、差込筒３の外周面には、その全周にわたって小径の取付凹部３ａが形成されており、そこに水滴Ｗの換気口５側への流れ込みを阻止する無端環形状の止水パッキン８が装着されている。
【０００５】
この止水パッキン８は、差込筒３に取付凹部３ａを形成してあることが必須の装着条件とされている。すなわち、差込筒３に取付凹部３ａを形成せずに、そのまま止水パッキン８を装着しただけでは、差込筒３をダクト６に内挿させた時に、止水パッキン８の止水リブ９がダクト６の内周面６ａとの摺動抵抗によって引っ掛かり、その装着位置がフード部２の方へずれてしまう、という不都合が生じる。一方、これとは逆に清掃やメンテナンス、交換などを行うために換気口カバー１を抜き去る時には、止水パッキン８がダクト６の内周面６ａとの摺動抵抗によって引っ掛かって差込筒３から外れてしまい、ダクト６内に置き去りにされてしまう、といった不都合があるためである。
【０００６】
【発明が解決しようとする課題】
ところが、差込筒３に取付凹部３ａを形成し、そこに止水パッキン８を装着することによって前述の不都合を解消する場合には、次のような別の問題が起こりうる。すなわち、その問題点の一つは、各種の換気口カバーごとに差込筒に取付凹部を予め形成した専用品を用意しなければならない、ということである。しかしながら、これでは同種の換気口カバーであっても、止水パッキン８を備える専用品と、止水パッキン８を備えない標準品との二種類を差込筒の口径ごとに用意しなければならないため、製造が煩雑となる上に専用品の受注の先読みが難しく、メーカーの立場としては殆ど実際的ではない。
【０００７】
また、他の問題点は、差込筒に取付凹部がない既設の換気口カバーについては事後的に止水パッキン８を装着できないため、まだ使用可能な既設の換気口カバーに換えて止水パッキン８を備える新たな換気口カバーを購入しなければならず、ユーザーの立場から見ても不満が多いということである。
【０００８】
以上のような従来技術を背景になされたのが本発明であって、その目的は、換気口カバーの差込筒に取付凹部が無くても装着可能な止水パッキンと、これを備える換気口カバーを提供することにある。
【０００９】
また、本発明の他の目的は、換気口カバーの差込筒をダクトに対して挿抜しても装着位置にずれが生じない止水パッキンと、これを備える換気口カバーを提供することにある。
【００１０】
【課題を解決するための手段】
このような目的を達成すべく本発明は、建築物の換気口からダクトに内挿させる差込筒に装着する換気口カバー用の止水パッキンについて、差込筒の筒端側内周面を被覆する内環部と、差込筒の筒端側外周面を被覆すると共にダクトの内周面に対して弾性接触する環状の止水リブを突設した外環部と、これら内環部と外環部との間に差込筒の筒端側を差し込ませて装着可能な装着凹部と、を形成したものである。
【００１１】
本発明の止水パッキンは、内環部と外環部が装着凹部に差し込ませた差込筒の筒端側を包み込むような格好で差込筒に装着される。したがって、この止水パッキンによれば、従来の換気口カバーのように差込筒の外周面に止水パッキン取付用の取付凹部が無くても、装着凹部に差込筒の筒端を差し込ませるだけで装着できることになり、また差込筒をダクトへ内挿する際にも止水パッキンの装着位置にずれが生じない。
【００１２】
このように装着可能としただけでなく、本発明の止水パッキンは更に、装着凹部に、該筒端に形成した差込筒の曲折端部に対して、換気口カバーの差込筒をダクトから抜去させる抜去方向で引っ掛かる係止受け部を設けるようにしている。
【００１３】
したがって、換気口カバーの差込筒をダクトから抜き去る時には、該曲折端部が係止受け部に対して抜去方向で係止するから、止水パッキンが差込筒から外れてダクト内に置き去りにされるしまう不都合を回避できる。
【００１４】
また、本発明の止水パッキンについては、差込筒の曲折端部が内向きの湾曲部としてまたは内向きに折返した折返し部として形成されており、内環部の係止受け部として、該湾曲部と抜去方向で係止する当接面かまたは該折返し部と抜去方向で係止する当接面の少なくとも何れかを設けたものとして構成できる。
【００１５】
換気口カバーの差込筒には、筒端で指を切ったりするなどの怪我をしないように、差込筒の筒軸方向へ向かう内向きの曲折端部を形成するのが通常である。そしてこの曲折端部のより具体的な形状としては２つが知られている。その一つは、特にアルミ製の差込筒によく見られる形状で、曲折端部を内向きに緩やかな弧を描く湾曲部として形成したものである。他の一つは、ステンレス製の差込筒に良く見受けられる形状で、曲折端部を内向きに折返した折返し部として形成したものである。本発明の止水パッキンは、内環部の係止受け部として、その湾曲部と抜去方向で係止する当接面か、またはその折返し部と抜去方向で係止する当接面の何れかを設けたものである。したがって、これらの止水パッキンによれば、各々の筒端の具体的形状に応じて、差込筒をダクトから抜き去る際のダクト内への置き去り問題を回避できる。また、本発明の止水パッキンは、該内環部の係止受け部として、その２つの当接面を双方共に設けたものでもある。このため曲折端部の具体的形状の如何に拘わらず（湾曲部または折返し部の何れであっても）装着可能であり、且つ何れかの当接面（係止受け部）に対して抜去方向で係止できるから、止水パッキンのダクト内への置き去り問題を回避できる。
【００１６】
更に、本発明の止水パッキンは、外環部をゴム弾性を有する樹脂材にて形成し、内環部を外環部よりも高硬度の樹脂材にて形成したものとして構成できる。このため、外環部の止水リブに、ダクト内周面に対して柔軟に追従変形することで発揮される止水性に必要なゴム弾性を与えつつも、より高硬度の樹脂材でなる剛性のある（そのような柔軟性がない）内環部によって装着しやすく且つ外れ難くすることができる。また、換気口カバーをダクトから抜き去る時に、内環部の係止受け部（当接面）が該曲折端部による係止をしっかりと受け止める。したがって、この止水パッキンであれば、差込筒に装着したままより確実に、ダクトから差込筒と一緒に抜き去ることができる。
【００１７】
また、本発明の止水パッキンは、外環部と内環部とが二色成型体または二重成型体として一体形成したものとして構成できるから、一度の成型工程で容易に製造できる。
【００１８】
そして、前記目的を達成すべく本発明は、建築物の換気口からダクトに内挿させる差込筒の筒端に、前記何れか一の本発明による止水パッキンを装着した換気口カバーを提供するものである。このため、前述のような各種の利点を有する止水パッキンを備える付加価値の高い換気口カバーが得られる。
【００１９】
【発明の実施の形態】
以下、本発明の一実施形態による止水パッキンと換気口カバーについて図面を参照しつつ説明する。なお、従来技術と同様の構成については、同じ符号を付して重複説明を省略する。
【００２０】
本形態の止水パッキン１０は、図１で示す換気口カバー１１の差込筒１２の筒端に装着されている。ここで簡単に換気口カバー１１の構成を説明すると、換気口カバー１１には、互いにネジ止めしたフード部１３と背面カバー部１４を備えており、この背面カバー部１４に前述の差込筒１２が溶接されている。なお、フード部１３には、上下方向に沿って伸長する縦桟１３ａと、そこから斜め上方向に伸長する傾斜桟１３ｂと、傾斜桟１３ｂに曲折形成した通気を整流する翼片１３ｃとを有するガラリ桟が形成されており、これによってフード部１３の傾斜桟１３ｂに付着する雨滴を縦桟１３ａに集中して流し込ませるようにし、底部に形成した貯水部１３ｄに溜めることができるような構造として、フード部１３から下方への雨滴の滴りを少なくできるようにしている。このような構成の換気口カバー１１は、差込筒１２に止水パッキン取付用の特別な部分が無い標準品である。
【００２１】
元に戻って本形態の止水パッキン１０は、差込筒１２の円筒形状に合致する無端環形状として形成されており（図１，図２参照）、図４で拡大して示すように、差込筒１２の筒端側の外周面１２ａを被覆する外環部１５と、筒端側の内周面１２ｂを被覆する内環部１６が形成されている。これらの外環部１５と内環部１６を有する止水パッキン１０は、硬度の異なる軟質塩化ビニル樹脂の二重成型により得た成型体で、接合線１７を境にして外環部１５がダクト６の内周面６ａに対して柔軟に追従変形することで発揮される止水性に必要なゴム弾性を有する硬度のものされており、内環部１６は外環部１５よりも高硬度で、止水パッキン１０が装着しやすく且つ外れにくくなるような硬度のものとなっている。具体的には外環部１５は、デュロメータ硬さ６０（ＪＩＳ　Ｋ　７２１５）の軟質塩化ビニル樹脂で、内環部１６はデュロメータ硬さ９０（ＪＩＳ　Ｋ　７２１５）の軟質塩化ビニル樹脂で形成されている。
【００２２】
外環部１５は、接合線１７側に位置する肉厚の基端部１８と、大きな湾曲形状のコーナー部１９と、直線部２０を有している。このうち図４で示す直線部２０は、差込筒１２への装着状態を示しているため差込筒１２の外周面１２ａに一直線状となっているが、未装着状態では無端環状の止水パッキン１０の中心に向かう内向きに傾斜していて、装着状態での差込筒１２に対する密着性が高められている。また、直線部２０には、無端環状で片持ち梁状に斜めに突出する２つの止水リブ２１が形成されている。
【００２３】
内環部１６には厚肉の基部２２が形成されており、この基部２２における接合線１７とは反対側の端部には、外環部１５に向かう外向きに突設した断面Ｌ字状の突片部２３が形成されている。そして、この突片部２３と基部２２に囲まれる溝状部分が「係止受け部」としての第１の係止凹部２４を構成している。この第１の係止凹部２４は、最深部をなす底部２５を含む溝幅が差込筒１２の板厚よりも僅かに大きな幅とされていて、その深さ方向が差込筒１２のダクト６からの抜去方向ｘに沿った方向として形成されている。
【００２４】
また、厚肉の基部２２における接合線１７との隣接部分には、外環部１５と繋がる薄肉部２６が形成されている。そしてこの薄肉部２６と、薄肉部２６に連なる基部２２の短面部２７と、外環部１５とで囲まれる溝状部分が「係止受け部」としての第２の係止凹部２８を成している。この第２の係止凹部２８は、最深部をなす底部２９を含む溝幅が差込筒１２の板厚よりも僅かに大きな幅とされていて、その深さ方向が止水パッキン１０（差込筒１２）の中心に向かう方向として形成されている。
【００２５】
そして、止水パッキン１０には、外環部１５と内環部１６とが互いに向き合う対向面によって囲まれた内面が、差込筒１２の筒端側を装着可能な装着凹部３０として形成されている。前述の第１の係止凹部２４と第２の係止凹部２８は、この装着凹部３０を成す内面の一部分に形成されている。そして、ここに差込筒１２を装着するには、外環部１５と内環部１６の突片部２３との間の開口部３１からその筒端側を差し込むようにする。
【００２６】
次に、以上の構成とした本形態による止水パッキン１０の作用および効果を説明する。
【００２７】
止水パッキン１０は、外環部１５と内環部１６が装着凹部３０に差し込ませた差込筒１２の筒端側を包み込むような格好で差込筒１２に対して装着可能であるから、従来のように差込筒の外周面に止水パッキン取付用の取付凹部が無くても、装着凹部３０に差込筒１２を差し込ませるだけで装着できる。また、差込筒１２をダクト６へ内挿する際には、差込筒１２が外環部１５に突き当たるので、止水パッキン１０の装着位置がずれない。
【００２８】
換気口カバー１１の差込筒１２をダクト６から抜き去る時には、差込筒１２の筒端側を曲折した折返し部１２ｃが、溝状とした第１の係止凹部２４内に入り込み、抜去方向ｘで係止凹部２４を構成する底部２５に対して係り止まる。したがって、止水パッキン１０が差込筒１２から外れてダクト６内に置き去りにされない。また、差込筒１２の筒端側端部が図５で示すような湾曲部１２ｄの場合であっても構わない。即ち、この場合に湾曲部１２ｄは、溝状とした第２の係止凹部２８内に入り込み、抜去方向ｘで係止凹部２８を構成する短面部２７に対して係り止まる。したがって、差込筒１２の筒端側の端部形状が、折返し部１２ｃか湾曲部１２ｄの何れであっても、止水パッキン１０の置き去り問題を回避することが可能である。
【００２９】
外環部１５の止水リブ２１に、ダクト６の内周面６ａに対して柔軟に追従変形することで発揮される止水性に必要なゴム弾性を与えつつも、内環部１６がより高硬度で剛性のある（そのような柔軟性がない）樹脂材で形成してあるから、この止水パッキン１０は、装着しやすく且つ外れにくい。また、換気口カバー１１をダクト６から抜き去る時には、高硬度の内環部１６における第１の係止凹部２４の底部２５か、または第２の係止凹部２８の短面部２７が、差込筒１２の折返し部１２ｃか湾曲部１２ｄによる係止をしっかり受け止める。したがって、止水パッキン１０は、装着状態のまま確実に差込筒１２と共にダクト６から抜き去ることができる。更に、外環部１５と内環部１６とを二重成型体として構成したため、一度の成型工程で済み製造も容易である。
【００３０】
そして、このような各種の作用効果を奏する止水パッキン１０を備えた換気口カバー１１は、その付加価値を大きく高めることができる。
【００３１】
なお、上記実施形態では、図４で示すように、折返し部１２ｃに対して差込筒１２の挿抜方向で若干遊びがあるように溝状の第１の係止凹部２４を形成し、装着が容易となるようにしてあるが、より強い装着性を得るために、止水パッキン１０を差込筒１２に装着したときに第１の係止凹部２４と折返し部１２ｃとが差込筒１２の挿抜方向で遊び無く係合する形状として構成してもよい。また、上記実施形態の止水パッキン１０は二重成型体であるが、二色成形により得た二色成型体として構成してもよい。
【００３２】
【発明の効果】
内環部と外環部と装着凹部とを形成した本発明の止水パッキンによれば、装着凹部に差込筒の筒端を差し込ませるだけで装着できるため、差込筒の口径サイズに適した止水パッキンを製造すれば、換気口カバーの種類に拘わらず装着可能である。よって、止水パッキン取付用の取付凹部が無い標準品だけを製造すれば足り、従来のように止水パッキン取付用の取付凹部を有する専用品の製造を廃止できる。また、止水パッキン取付用の取付凹部が無い既設の換気口カバーについても取付可能であるから、既設の換気口カバーをそのまま有効利用できる。
【００３３】
装着凹部に前記係止受け部を設けた本発明の止水パッキンによれば、止水パッキンが差込筒から外れてダクト内に置き去りにされるしまう不都合を回避できるから、換気口カバーの施工時の仮差込み等を行っても施工作業が中断されない。
【００３４】
曲折端部が内向きの湾曲部としてまたは内向きに折返した折返し部として形成されており、内環部の係止受け部として、該湾曲部と抜去方向で係止する当接面かまたは該折返し部と抜去方向で係止する当接面の少なくとも何れかを設けた本発明の止水パッキンによれば、差込筒の筒端の具体的形状の如何に拘わらず装着可能で且つ止水パッキンのダクト内への置き去り問題を回避できる。
【００３５】
外環部をゴム弾性を有する樹脂材にて形成し、内環部を外環部よりも高硬度の樹脂材にて形成した本発明の止水パッキンによれば、装着しやすく且つ外れ難くすることができ、また換気口カバーの差込筒をダクトから抜き去る際に、差込筒に装着したまま更に確実に、ダクトから差込筒と共に一緒に抜去できる。また、外環部と内環部とを二色成型体または二重成型体として一体形成すれば、一度の成型工程で容易に製造できる。
【００３６】
建築物の換気口からダクトに内挿させる差込筒の筒端に、前記何れか一の本発明による止水パッキンを装着した本発明の換気口カバーによれば、前述のような各種の利点を有する止水パッキンを備える付加価値の高い換気口カバーが得られる。
【図面の簡単な説明】
【図１】一実施形態による止水パッキンを装着した換気口カバーの正面・平面・右側面を示す外観斜視図。
【図２】図１の換気口カバーの背面・平面・左側面を示す外観斜視図。
【図３】図１の換気口カバーの施工状態を示す断面図。
【図４】図３のＳＢ部拡大断面図。
【図５】差込筒の筒端が湾曲形状である場合の図４相当の部分拡大断面図。
【図６】従来の止水パッキンを装着した換気口カバーの施工状態を示す断面図。
【図７】図６のＳＡ部拡大断面図。
【符号の説明】
４　　　躯体
５　　　換気口
６　　　ダクト
６ａ　　内周面
１０　　　止水パッキン
１１　　　換気口カバー
１２　　　差込筒
１２ａ　　外周面（筒端側外周面）
１２ｂ　　内周面（筒端側内周面）
１２ｃ　　折返し部（筒端，曲折端部）
１２ｄ　　湾曲部（筒端，曲折端部）
１５　　　外環部
１６　　　内環部
２１　　　止水リブ
２４　　　第１の係止凹部（係止受け部）
２５　　　底部（当接面）
２７　　　短面部（当接面）
２８　　　第２の係止凹部（係止受け部）
３０　　　装着凹部
【図１】
2004044955.tif 000003
【図２】
2004044955.tif 000004
【図３】
2004044955.tif 000005
【図４】
2004044955.tif 000006
【図５】
2004044955.tif 000007
【図６】
2004044955.tif 000008
【図７】
2004044955.tif 000009